(57)【要約】      （修正有）【課題】寝浴浴槽における起き上がりと立ち上がりをサポート可能な手摺を備えた浴槽を提供する。【解決手段】浴槽用手摺２０は、背側面部に背中を当接させた入浴者が把持可能な起き上がりサポート部３０と、起き上がりサポート部より脚側面部にある立ち上がりサポート部４０とを有し、起き上がりサポート部の上面及び立ち上がりサポート部の上面はそれぞれ連続して形成されており、起き上がりサポート部は、背側面部から脚側面部へ向かうにつれ上昇するような傾斜を有しており、立ち上がりサポート部は、背側面部から脚側面部へ向かうにつれ下降するような傾斜を有しており、立ち上がりサポート部が有する傾斜の水平方向に対する傾斜角度は、起き上がりサポート部が有する傾斜の水平方向に対する傾斜角度より小さく、起き上がりサポート部の長さは、立ち上がりサポート部の長さより長い。【選択図】図１
2019170531.tif 000002
【特許請求の範囲】
【請求項１】
底面部と、傾斜した背側面部と、前記背側面部と向かい合う面である脚側面部と、前記底面部と前記背側面部と前記脚側面部とに隣接する２つの側面部と、を有する浴槽本体、および、前記浴槽本体の前記側面部に設置される浴槽用手摺、を備えた浴槽であって、
前記浴槽用手摺は、前記背側面部に背中を当接させた入浴者が把持可能な起き上がりサポート部と、前記起き上がりサポート部より前記脚側面部にある立ち上がりサポート部と、を有し、
前記起き上がりサポート部の上面及び前記立ち上がりサポート部の上面は、それぞれ連続して形成されており、
前記起き上がりサポート部は、前記背側面部から前記脚側面部へ向かうにつれ上昇するような傾斜を有しており、
前記立ち上がりサポート部は、前記背側面部から前記脚側面部へ向かうにつれ下降するような傾斜を有しており、
前記立ち上がりサポート部が有する傾斜の水平方向に対する傾斜角度は、前記起き上がりサポート部が有する傾斜の水平方向に対する傾斜角度より、小さく、
前記起き上がりサポート部の長さは、前記立ち上がりサポート部の長さより、長いことを特徴とする浴槽。
【請求項２】
前記起き上がりサポート部の水平方向の長さは、前記立ち上がりサポート部の水平方向の長さより、長いことを特徴とする請求項１記載の浴槽。
【請求項３】
前記起き上がりサポート部は、前記立ち上がりサポート部と接続される側に、上面が前記立ち上がりサポート部に向かうにつれ徐々に傾斜角度が小さくなるように上昇する湾曲形状を有する上昇湾曲部をさらに有し、
前記上昇湾曲部の水平方向の長さは、前記立ち上がりサポート部の水平方向の長さより、長いことを特徴とする請求項１または２に記載の浴槽。
【請求項４】
前記立ち上がりサポート部は、前記起き上がりサポート部と接続される側に、上面が前記起き上がりサポート部から離れるにつれ徐々に水平方向に対する傾斜角度が大きくなるように下降する湾曲形状を有する下降湾曲部をさらに有し、
前記下降湾曲部の水平方向の長さは、前記上昇湾曲部の水平方向の長さより、短いことを特徴とする請求項３記載の浴槽。
【請求項５】
前記脚側面部は、前記背側面部へ向かって突出しているフットサポート部を有し、
前記立ち上がりサポート部の前記脚側面部側の端部は、前記フットサポート部より前記背側面部側に位置していることを特徴とする請求項１〜４のいずれか１つに記載の浴槽。
【請求項６】
前記立ち上がりサポート部の上面は、前記側面部から離れる方向へ向かって下方へ傾斜していることを特徴とする請求項１〜５のいずれか１つに記載の浴槽。
【発明の詳細な説明】
【技術分野】
【０００１】
本発明は、浴槽に関する。
【背景技術】
【０００２】
傾斜している背当て部を備え、入浴者が背当て部に背中を当接させることで仰向けで寝るような体勢で入浴（寝浴）できるように形状を工夫した浴槽が知られている。このような浴槽においては、入浴者が仰向けになるように上体を倒した状態で入浴できるため、入浴時におけるリラクゼーション効果を高めることができる。
【先行技術文献】
【特許文献】
【０００３】
【特許文献１】特開２００８−１６８０４３号公報
【発明の概要】
【発明が解決しようとする課題】
【０００４】
しかし、このような浴槽では、入浴者が仰向けで寝るような体勢で入浴（寝浴）できるようになる一方、通常の浴槽と比べ上体が倒れているため、起き上がることに非常に苦労を要する。即ち、寝浴状態から出浴するためには浴槽内で立ち上がって出浴する前にまず寝浴状態から上体を起こす必要があるが、寝浴状態では肩を含む上体が浴槽内に位置するため、浴槽のリムを把持して上体を起こすためには、大きな力を腕に加えて上体を引き寄せる必要があり、非常に起き上がりにくい。また、寝浴状態では入浴者の臀部が背当て部より離れた位置にあるため、上体を起こした後、足を上体側へ引き寄せて立ち上がる必要がある。足を上体側へ引き寄せると、上体自体に後方へ向かう力が付与されてしまうが、寝浴ができる浴槽であると背当て部が後方へ傾斜しているため、また上体が倒れてしまうといった問題もある。
【０００５】
そこで、本発明は、寝浴浴槽における起き上がりと立ち上がりをサポート可能な手摺を備えた浴槽を提供する。
【課題を解決するための手段】
【０００６】
第１の発明の浴槽は、底面部と、傾斜した背側面部と、前記背側面部と向かい合う面である脚側面部と、前記底面部と前記背側面部と前記脚側面部とに隣接する２つの側面部と、を有する浴槽本体、および、前記浴槽本体の前記側面部に設置される浴槽用手摺、を備えた浴槽であって、前記浴槽用手摺は、前記背側面部に背中を当接させた入浴者が把持可能な起き上がりサポート部と、前記起き上がりサポート部より前記脚側面部にある立ち上がりサポート部と、を有し、前記起き上がりサポート部の上面及び前記立ち上がりサポート部の上面は、それぞれ連続して形成されており、前記起き上がりサポート部は、前記背側面部から前記脚側面部へ向かうにつれ上昇するような傾斜を有しており、前記立ち上がりサポート部は、前記背側面部から前記脚側面部へ向かうにつれ下降するような傾斜を有しており、前記立ち上がりサポート部が有する傾斜の水平方向に対する傾斜角度は、前記起き上がりサポート部が有する傾斜の水平方向に対する傾斜角度より、小さく、前記起き上がりサポート部の長さは、前記立ち上がりサポート部の長さより、長いことを特徴とする。  
第１の発明によれば、入浴者が仰向けで寝るような体勢で入浴（寝浴）できる浴槽において、入浴者が出浴する際には、背側面部から脚側面部へ向かうにつれ上昇する傾斜を有する起き上がりサポート部を把持して上半身を起き上がりサポート部へ引き寄せることで起き上がり、そのまま手を背側面部から脚側面部へ向かうにつれ下降する傾斜を有する立ち上がりサポート部を把持して上体を下方傾斜に沿って足側へ移動させつつ、立ち上がりサポート部の上面を押圧することで斜め前方へ向かって身体を立ち上がらせることができる。  
その上で、寝浴状態の入浴者の上体を起こすための起き上がりサポート部を立ち上がりサポート部より長く且つ傾斜角度を大きく確保することで、寝浴状態の入浴者でも把持しやすいようにできる一方で、入浴者を立ち上がらせるための立ち上がりサポート部を起き上がりサポート部より短く且つ傾斜角度を小さく確保することで、立ち上がりサポート部を把持して上体を下方傾斜に沿って足側へ移動させる際に、入浴者の手が下がりすぎることなく高い位置から立ち上がりサポート部の上面を押圧できるようになり、立ち上がりやすくなる。  
第２の発明は、第１の発明において、前記起き上がりサポート部の水平方向の長さは、前記立ち上がりサポート部の水平方向の長さより、長いことを特徴とする。  
第２の発明によれば、起き上がりサポート部の水平方向の長さを大きく確保したため、寝浴状態の入浴者でも把持しやすいように起き上がりサポート部を背側面部側に近い位置に設けやすくできつつも、立ち上がりサポート部の水平方向の長さを小さく確保したため、立ち上がりサポート部を把持して上体を下方傾斜に沿って足側へ移動させる際に、入浴者の手が下がりすぎることなく高い位置から立ち上がりサポート部の上面を押圧できるようになり、より立ち上がりやすくなる。  
第３の発明は、第１または第２の発明において、前記起き上がりサポート部は、前記立ち上がりサポート部と接続される側に、上面が前記立ち上がりサポート部に向かうにつれ徐々に傾斜角度が小さくなるように上昇する湾曲形状を有する上昇湾曲部をさらに有し、前記上昇湾曲部の水平方向の長さは、前記立ち上がりサポート部の水平方向の長さより、長いことを特徴とする。  
第３の発明によれば、起き上がりサポート部の立ち上がりサポート部と接続される側に徐々に傾斜角度が小さくなるように上昇する湾曲形状を有する上昇湾曲部を設け、上昇湾曲部の水平方向の長さを立ち上がりサポート部の水平方向の長さより大きく形成したため、出浴しようとする入浴者が起き上がりサポート部を把持して起き上がった後には、そのまま手を徐々にスライド移動させて立ち上がりサポート部へ移動させやすくなり、立ち上がりサポート部を把持して上体を下方傾斜に沿って足側へ移動させる際には入浴者の手が下がりすぎることなく高い位置から立ち上がりサポート部の上面を押圧できるようになり、より立ち上がりやすくなる。  
第４の発明は、第３の発明において、前記立ち上がりサポート部は、前記起き上がりサポート部と接続される側に、上面が前記起き上がりサポート部から離れるにつれ徐々に水平方向に対する傾斜角度が大きくなるように下降する湾曲形状を有する下降湾曲部をさらに有し、前記下降湾曲部の水平方向の長さは、前記上昇湾曲部の水平方向の長さより、短いことを特徴とする。  
第４の発明によれば、出浴しようとする入浴者が起き上がりサポート部を把持して起き上がった後には上昇湾曲部の傾斜が徐々に小さくなるため、そのまま手を徐々にスライド移動させて立ち上がりサポート部へ移動させやすくなり、立ち上がりサポート部を把持して上体を下方傾斜に沿って足側へ移動させる際には、下降湾曲部の傾斜が徐々に大きくなるため、出浴しようとする入浴者の手が勢いよく下がりすぎることなく、高い位置から立ち上がりサポート部の上面を押圧できるようになり、より立ち上がりやすくなる。  
第５の発明は、第１〜第４の発明のいずれか１つにおいて、前記脚側面部は、前記背側面部へ向かって突出しているフットサポート部を有し、前記立ち上がりサポート部の前記脚側面部側の端部は、前記フットサポート部より前記背側面部側に位置していることを特徴とする。  
第５の発明によれば、出浴しようとする入浴者は、立ち上がり時には自然と、フットサポート部近傍に配置されているであろう足（の裏）より背側面部側から、立ち上がりサポート部の上面を押圧することになり、出浴しようとする入浴者は立ち上がり時に、必要以上に胸と膝が近づいてしまって苦しい体勢となることなく、快適且つ容易に立ち上がることができる。  
第６の発明は、第１〜第５の発明のいずれか１つにおいて、前記立ち上がりサポート部の上面は、前記側面部から離れる方向へ向かって下方へ傾斜していることを特徴とする。
第６の発明によれば、立ち上がりサポート部を把持した入浴者が、その上体を立ち上がりサポート部の下方傾斜に沿って足側へ移動させる際、立ち上がりサポート部の上面に形成された、浴槽本体の側面部から離れる方向への下方傾斜に沿って入浴者の腕がガイドされ脇が締まる。したがって、立ち上がりサポート部を把持して上体を足側へ移動させながら、脇が締まった状態、すなわち立ち上がりサポート部の上面へ力をかけて押圧しやすい状態となり、より斜め前方へ向かって身体を立ち上がらせやすくなる。
【発明の効果】
【０００７】
本発明によれば、入浴者は寝浴状態から起き上がりやすくなり、且つ立ち上がりやすくなる。
【図面の簡単な説明】
【０００８】
【図１】本発明の実施形態に係る浴槽の斜視図。
【図２】本発明の実施形態に係る浴槽の断面図。
【図３】本発明の実施形態に係る浴槽の手摺の側面図。
【図４】本発明の実施形態に係る浴槽の手摺の斜視図。
【図５】（ａ）〜（ｃ）は、本発明の実施形態に係る浴槽の手摺を用いた入浴者の起き上がり動作を説明するための側面図。
【図６】（ａ）〜（ｃ）は、本発明の実施形態に係る浴槽の手摺を用いた入浴者の立ち上がり動作を説明するための側面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、本発明の実施形態に係る浴槽１の斜視図である。  
図２は、浴槽１の断面図である。
【００１１】
浴槽１は、浴槽本体１０と、浴槽用手摺（以下単に手摺ともいう）２０とを備える。
【００１２】
浴槽本体１０は、底面部１１と、背側面部１２と、脚側面部１３と、２つの側面部１４とを有する。背側面部１２と脚側面部１３とは互いに向かい合っている。２つの側面部１４は、互いに向かい合い、底面部１１、背側面部１２、および脚側面部１３に隣接している。
【００１３】
背側面部１２と脚側面部１３との間の距離は、２つの側面部１４の間の距離より長い。背側面部１２は、脚側面部１３から離れる方向に傾斜している。入浴者は、傾斜した背側面部１２に背中を当てることで仰向けで寝るような体勢で入浴（寝浴）することができる。
【００１４】
２つの側面部１４のそれぞれに手摺２０が設置されている。
【００１５】
図３は、図２に示される一方の手摺２０の拡大側面図である。  
図４は、２つの手摺２０の斜視図である。図４において左側の手摺２０は、図２に示される一方の側面部１４に設置される一方の手摺２０であり、図４において右側の手摺２０は、前記一方の側面部１４と向かい合う他方の側面部１４に設置される他方の手摺２０である。
【００１６】
手摺２０は、寝浴状態の入浴者が把持可能な起き上がりサポート部３０と、起き上がりサポート部３０より脚側面部１３にある立ち上がりサポート部４０とを有する。起き上がりサポート部３０の上面及び立ち上がりサポート部４０の上面は、それぞれ連続して形成されている。
【００１７】
起き上がりサポート部３０は、背側面部１２から脚側面部１３へ向かうにつれ上昇するような傾斜を有している。立ち上がりサポート部４０は、背側面部１２から脚側面部１３へ向かうにつれ下降するような傾斜を有している。立ち上がりサポート部４０が有する傾斜の水平方向に対する傾斜角度は、起き上がりサポート部３０が有する傾斜の水平方向に対する傾斜角度より小さい。
【００１８】
起き上がりサポート部３０の長さは、立ち上がりサポート部４０の長さより長い。起き上がりサポート部３０の水平方向の長さは、立ち上がりサポート部４０の水平方向の長さより長い。
【００１９】
起き上がりサポート部３０は、立ち上がりサポート部４０と接続される側に、上面が立ち上がりサポート部４０に向かうにつれ徐々に水平方向に対する傾斜角度が小さくなるように上昇する湾曲形状を有する上昇湾曲部３１をさらに有する。上昇湾曲部３１の水平方向の長さは、立ち上がりサポート部４０の水平方向の長さより長い。
【００２０】
立ち上がりサポート部４０は、起き上がりサポート部３０と接続される側に、上面が起き上がりサポート部３０から離れるにつれ徐々に傾斜角度が大きくなるように下降する湾曲形状を有する下降湾曲部４１をさらに有する。
【００２１】
立ち上がりサポート部４０の下降湾曲部４１の水平方向の長さは、起き上がりサポート部３０の上昇湾曲部３１の水平方向の長さより短い。
【００２２】
起き上がりサポート部３０は、水平方向に平行な直線部３２を有する。直線部３２は、立ち上がりサポート部４０の下降湾曲部４１と、起き上がりサポート部３０の上昇湾曲部３１との間に形成されている。また、起き上がりサポート部３０は、傾斜した直線部３３を有する。その直線部３３の長さは、立ち上がりサポート部４０の長さよりも長い。
【００２３】
図１、図２に示すように、脚側面部１３は、背側面部１２へ向かって突出しているフットサポート部５０を有する。立ち上がりサポート部４０の脚側面部１３側の端部は、フットサポート部５０より背側面部１２側に位置している。
【００２４】
図４に示すように、立ち上がりサポート部４０の上面４０ａは、浴槽本体１０の側面部１４から離れる方向へ向かって下方へ傾斜している。
【００２５】
図５（ａ）〜（ｃ）は、本発明の実施形態に係る浴槽１の手摺２０を用いた入浴者の起き上がり動作を説明するための側面図である。  
図６（ａ）〜（ｃ）は、本発明の実施形態に係る浴槽１の手摺２０を用いた入浴者の立ち上がり動作を説明するための側面図である。
【００２６】
図５（ａ）は、入浴者が仰向けで寝るような体勢で入浴（寝浴）している状態を表す。その寝浴状態から入浴者が出浴する際には、手摺２０の起き上がりサポート部３０を把持する。左手で入浴者の左側の側面部１４に設置された手摺２０の起き上がりサポート部３０を把持し、右手で入浴者の右側の側面部１４に設置された手摺２０の起き上がりサポート部３０を把持する。
【００２７】
起き上がりサポート部３０は、背側面部１２から脚側面部１３へ向かうにつれ上昇する傾斜を有するため、寝浴状態の入浴者の腕とほぼ平行になり、入浴者は寝浴状態で起き上がりサポート部３０を握りやすい。
【００２８】
図５（ｂ）及び（ｃ）に示すように、入浴者は起き上がりサポート部３０を把持して上半身を起き上がりサポート部３０へ引き寄せる。このとき、脚側面部１３に向けて伸ばしていた足を臀部側に引き寄せ、足裏を底面部１１の上に載せる。このようにして、入浴者は背側面部１２に寄りかかった状態から、膝を曲げて底面部１１に着座した状態へと起き上がる。
【００２９】
起き上がった入浴者はそのまま手を、図６（ａ）に示すように、背側面部１２から脚側面部１３へ向かうにつれ下降する傾斜を有する立ち上がりサポート部４０へスライド移動させ、立ち上がりサポート部４０を把持する。そして、図６（ｂ）に示すように、臀部を脚側面部１３側に移動させ、さらに、図６（ｃ）に示すように、上体を、立ち上がりサポート部４０の下方傾斜に沿って足側へ移動させつつ、立ち上がりサポート部４０を把持している手で立ち上がりサポート部４０の上面を押圧することで斜め前方へ向かって身体を押し出すようにして立ち上がらせることができる。
【００３０】
本発明の実施形態によれば、起き上がりサポート部３０の長さを立ち上がりサポート部４０の長さより長く、且つ、起き上がりサポート部３０の傾斜角度を立ち上がりサポート部４０の傾斜角度より大きく確保することで、寝浴状態の入浴者でも起き上がりサポート部３０を把持しやすいようにできる一方で、立ち上がりサポート部４０の長さを起き上がりサポート部３０の長さより短く、且つ、立ち上がりサポート部４０の傾斜角度を起き上がりサポート部３０の傾斜角度より小さく確保することで、立ち上がりサポート部４０を把持して上体を足側へ移動させる際に、入浴者の手が下がりすぎることなく高い位置から立ち上がりサポート部４０の上面を押圧できるようになり、立ち上がりやすくなる。
【００３１】
また、立ち上がりサポート部４０の長さを、起き上がりサポート部３０の長さより短くしたことで、入浴者は膝や太ももなどを立ち上がりサポート部４０にぶつけることなく立ち上がることができる。
【００３２】
また、起き上がりサポート部３０の水平方向の長さを立ち上がりサポート部４０の水平方向の長さよりも大きく確保することで、寝浴状態の入浴者でも把持しやすいように起き上がりサポート部３０を背側面部１２に近づけつつも、立ち上がりサポート部４０の水平方向の長さを起き上がりサポート部３０の水平方向の長さより小さく確保したため、立ち上がりサポート部４０を把持して上体を、立ち上がりサポート部４０の下方傾斜に沿って足側へ移動させる際に、入浴者の手が下がりすぎることなく高い位置から立ち上がりサポート部４０の上面を押圧できるようになり、より立ち上がりやすくなる。
【００３３】
また、立ち上がりサポート部４０の水平方向の長さを、起き上がりサポート部３０の水平方向の長さより短くしたことで、入浴者は膝や太ももなどを立ち上がりサポート部４０にぶつけることなく立ち上がることができる。
【００３４】
また、起き上がりサポート部３０の立ち上がりサポート部４０と接続される側に徐々に傾斜角度が小さくなるように上昇する湾曲形状を有する上昇湾曲部３１を設け、その上昇湾曲部３１の水平方向の長さを立ち上がりサポート部４０の水平方向の長さより長く形成したため、出浴しようとする入浴者が起き上がりサポート部３０を把持して起き上がった後には、そのまま手を徐々にスライド移動させて立ち上がりサポート部４０へ移動させやすくなり、立ち上がりサポート部４０を把持して上体を立ち上がりサポート部４０の下方傾斜に沿って足側へ移動させる際には入浴者の手が下がりすぎることなく高い位置から立ち上がりサポート部４０の上面を押圧できるようになり、より立ち上がりやすくなる。
【００３５】
出浴しようとする入浴者が起き上がりサポート部３０を把持して起き上がった後には、起き上がりサポート部３０の上昇湾曲部３１の傾斜が徐々に小さくなるため、そのまま手を徐々にスライド移動させて立ち上がりサポート部４０へ移動させやすくなる。そして、立ち上がりサポート部４０を把持して上体を立ち上がりサポート部４０の下方傾斜に沿って足側へ移動させる際には、立ち上がりサポート部４０の下降湾曲部４１の傾斜が徐々に大きくなるため、入浴者の手が勢いよく下がりすぎることなく、高い位置から立ち上がりサポート部４０の上面を押圧できるようになり、より立ち上がりやすくなる。
【００３６】
出浴しようとする入浴者は、立ち上がり時には自然と、フットサポート部５０の近傍に配置されているであろう足（の裏）よりも背側面部１２側から、立ち上がりサポート部４０の上面を押圧することになる。立ち上がりサポート部４０の脚側面部１３側の端部はフットサポート部５０より背側面部１２側に位置しているため、立ち上がりサポート部４０を把持している手の位置が必要以上に足に近づかず、出浴しようとする入浴者は立ち上がり時に、必要以上に胸と膝が近づいてしまって苦しい体勢となることなく、快適且つ容易に立ち上がることができる。
【００３７】
立ち上がりサポート部４０を把持した入浴者が、その上体を立ち上がりサポート部４０の下方傾斜に沿って足側へ移動させる際、立ち上がりサポート部４０の上面４０ａに形成された、浴槽本体１０の側面部１４から離れる方向への下方傾斜に沿って入浴者の腕がガイドされ脇が締まる。したがって、立ち上がりサポート部４０を把持して上体を足側へ移動させながら、脇が締まった状態、すなわち立ち上がりサポート部４０の上面４０ａへ力をかけて押圧しやすい状態となり、より斜め前方へ向かって身体を立ち上がらせやすくなる。
【００３８】
以上、具体例を参照しつつ本発明の実施形態について説明した。しかし、本発明は、それらに限定されるものではなく、本発明の技術的思想に基づいて種々の変形が可能である。
【符号の説明】
【００３９】
１…浴槽、１０…浴槽本体、１１…底面部、１２…背側面部、１３…脚側面部、１４…側面部、２０…手摺、３０…起き上がりサポート部、３１…上昇湾曲部、３２…直線部、４０…立ち上がりサポート部、４１…下降湾曲部、５０…フットサポート部
【図１】
2019170531.tif 000003
【図２】
2019170531.tif 000004
【図３】
2019170531.tif 000005
【図４】
2019170531.tif 000006
【図５】
2019170531.tif 000007
【図６】
2019170531.tif 000008